(57)【要約】【課題】飲料ポッドを使用して飲料を抽出することができるサイフォン式の飲料抽出器を提供する。【解決手段】下部容器２この下部容器２の上部に着脱可能に連結される上部容器３とを有し、上部容器３は、下部容器２との連結時に下部容器２内に挿入される導水管１３が設けられるとともに内周部に飲料ポッド１６を載置可能なポッド載置部１７が設けられた台座部８と、この台座部８に着脱可能に嵌合されてポッド載置部１７に載置されている飲料ポッド１６の外周部を押圧する筒状の胴部９とを有し、台座部８と胴部９とを嵌合状態でロックするロック機構１０を有する。【選択図】図１
2016047181.tif 000002
【特許請求の範囲】
【請求項１】
下部容器とこの下部容器の上部に着脱可能に連結される上部容器とを有し、
前記上部容器は、前記下部容器との連結時に前記下部容器内に挿入される導水管が設けられるとともに内周部に飲料ポッドを載置可能なポッド載置部が設けられた台座部と、この台座部に着脱可能に嵌合されて前記ポッド載置部に載置されている前記飲料ポッドの外周部を押圧する筒状の胴部とを有し、
前記台座部と前記胴部とを嵌合状態でロックするロック機構を有することを特徴とする飲料抽出器。
【請求項２】
前記ロック機構は、前記胴部の外周部に設けられた一対の突起と、前記突起に係合して前記台座部と前記胴部とを嵌合状態でロックするロック位置と前記突起への係合を解除するロック解除位置とに回動可能に前記台座部に設けられた一対のロックレバーとを有することを特徴とする請求項１に記載の飲料抽出器。
【請求項３】
前記ロックレバーは、ロック位置に位置する場合に前記突起の下端部に係合する下端側係合部と前記突起の上端部に係合する上端側係合部とを有し、前記ロックレバーがロック解除位置に位置する場合に前記胴部を前記台座部に嵌合させることにより前記下端側係合部が前記突起の前記下端部により押圧されて前記ロックレバーがロック位置に回動し、前記ロックレバーをロック位置からロック解除位置に回動させることにより前記下端側係合部が前記突起の前記下端部を押し上げて前記胴部を前記台座部との嵌合を解除する方向に移動させることを特徴とする請求項２に記載の飲料抽出器。
【請求項４】
前記胴部の下端側外周部の全周に段差部が設けられ、前記台座部の上端側の全周に前記段差部に嵌合する嵌合部が設けられていることを特徴する請求項1ないし３のいずれか１項に記載の飲料抽出器。
【請求項５】
前記段差部と前記嵌合部との間にパッキングが装着されていることを特徴とする請求項４に記載の飲料抽出器。
【請求項６】
前記台座部と前記胴部との外周部にフランジが形成され、前記ロック機構は、一端を支点として開閉可能なクランプであり、前記クランプは閉止された場合に前記台座部の前記フランジと前記胴部の前記フランジとを挟持することを特徴とする請求項１記載の飲料抽出器。
【請求項７】
前記下部容器の外周部にフランジが形成され、前記クランプは閉止された場合に前記下部容器の前記フランジに係合されることを特徴とする請求項６記載の飲料抽出器。
【請求項８】
前記台座部の前記フランジと前記胴部の前記フランジとの間にリング状のパッキングが装着されていることを特徴とする請求項６又は７記載の飲料抽出器。
【請求項９】
前記台座部の内周部に、前記導水管の上端側と前記ポッド載置部との間に位置して放射状に配列された複数のリブが設けられていることを特徴とする請求項１ないし８のいずれか１項に記載の飲料抽出器。
【請求項１０】
前記胴部の下端部に、前記ポッド載置部に載置されている前記飲料ポッドの上面に当接される網部材が設けられていることを特徴する請求項１ないし９のいずれか１項に記載の飲料抽出器。
【発明の詳細な説明】
【技術分野】
【０００１】
本発明は、サイフォン方式の飲料抽出器に関する。
【背景技術】
【０００２】
近年、コーヒー粉を不織布内に封入したコーヒーポッドが普及している（下記特許文献１、２参照）。コーヒーポッド内には一定量のコーヒー粉が封入されているため、コーヒーポッドを使用することにより常に一定の濃度のコーヒーを抽出することができる。
【０００３】
コーヒーを抽出するコーヒー抽出器としては、サイフォン方式のコーヒー抽出器が知られている（下記特許文献３、４参照）。サイフォン方式のコーヒー抽出器は、耐熱ガラス等の耐熱材により形成された下部容器と、この下部容器の上部に着脱可能に連結される耐熱ガラス等の耐熱材により形成された上部容器とを有している。上部容器の底部には下向きに延出した導水管が設けられており、下部容器と上部容器とが連結されている場合には導水管が下部容器内に挿入されている。
【０００４】
サイフォン式のコーヒー抽出器でコーヒーを抽出する場合には、下部容器内に水を入れ、上部容器内にフィルターを介してコーヒー粉を入れ、導水管を下部容器内に挿入するとともに上部容器を下部容器の上部に連結する。ついで、下部容器内の水をアルコールランプや電気ヒータ等の加熱機器により加熱して沸騰させ、沸騰したお湯が導水管を通して上部容器内に上昇することにより、上部容器内でコーヒー粉からコーヒーが抽出される。その後、加熱機器による加熱を終了させると、下部容器内の水蒸気が冷却されて収縮することにより下部容器内の水蒸気圧が下がり、上部容器内のコーヒーが導水管を通して下部容器内に吸引され、コーヒーを抽出する作業が終了する。
【０００５】
上述したサイフォン式のコーヒー抽出器を用いてコーヒーを抽出した場合、コーヒー粉が上部容器の内周面に付着するため、付着したコーヒー粉の清掃に手間と時間とがかかるという問題がある。
【０００６】
また、上部容器内に入れるコーヒー粉の量がばらつきを生じやすく、それに伴って抽出されたコーヒーの濃度がばらつきを生じるという問題がある。
【０００７】
さらに、上部容器と下部容器との連結部分からお湯や圧力が漏れ出さないようにする必要があり、上部容器と下部容器とをパッキング等を介して気密状態に連結しなければならず、この連結作業は容易ではない。一方、上部容器と下部容器との気密度を高めて強固に連結すると、コーヒーの抽出が終了して下部容器と上部容器とを分離する場合に分離作業に手間がかかるようになる。
【０００８】
そこで、上部容器の内周面に付着したコーヒー粉を清掃する手間を省くとともに、抽出されるコーヒーの濃度を一定に維持するためには、コーヒー粉に換えてコーヒーポッドを使用することが考えられる。
【先行技術文献】
【特許文献】
【０００９】
【特許文献１】特開２００５−２６１９２１号公報
【特許文献２】特開２０１３−４３０３１号公報
【特許文献３】特開平７−１４８０７１号公報
【特許文献４】特開２００２−２７２６１９号公報
【発明の概要】
【発明が解決しようとする課題】
【００１０】
しかしながら、サイフォン式のコーヒー抽出器においてコーヒーポッドを使用した場合には、コーヒーポッド内にはコーヒー粉が密集しているため導水管を通して上昇したお湯がコーヒーポッドを通過しにくく、コーヒーポッドの下側の圧力が大きくなってコーヒー抽出器におけるコーヒーポッドを押さえている部分が浮き上がり、お湯がコーヒー抽出器から漏れ出すという事態の発生が考えられる。
【００１１】
本発明の目的は、コーヒーポッドや紅茶ポッド等の飲料ポッドを使用して飲料を抽出することができるサイフォン式の飲料抽出器を提供することである。
【課題を解決するための手段】
【００１２】
本発明に係る飲料抽出器は、下部容器とこの下部容器の上部に着脱可能に連結される上部容器とを有し、前記上部容器は、前記下部容器との連結時に前記下部容器内に挿入される導水管が設けられるとともに内周部に飲料ポッドを載置可能なポッド載置部が設けられた台座部と、この台座部に着脱可能に嵌合されて前記ポッド載置部に載置されている前記飲料ポッドの外周部を押圧する筒状の胴部とを有し、前記台座部と前記胴部とを嵌合状態でロックするロック機構を有することを特徴とする。
【００１３】
また、前述の飲料抽出器において、前記ロック機構は、前記胴部の外周部に設けられた一対の突起と、前記突起に係合して前記台座部と前記胴部とを嵌合状態でロックするロック位置と前記突起への係合を解除するロック解除位置とに回動可能に前記台座部に設けられた一対のロックレバーとを有することが望ましい。
【００１４】
また、前述の飲料抽出器において、前記ロックレバーは、ロック位置に位置する場合に前記突起の下端部に係合する下端側係合部と前記突起の上端部に係合する上端側係合部とを有し、前記ロックレバーがロック解除位置に位置する場合に前記胴部を前記台座部に嵌合させることにより前記下端側係合部が前記突起の前記下端部により押圧されて前記ロックレバーがロック位置に回動し、前記ロックレバーをロック位置からロック解除位置に回動させることにより前記下端側係合部が前記突起の前記下端部を押し上げて前記胴部を前記台座部との嵌合を解除する方向に移動させることが望ましい。
【００１５】
また、前述の飲料抽出器において、前記胴部の下端側外周部の全周に段差部が設けられ、前記台座部の上端側の全周に前記段差部に嵌合する嵌合部が設けられていることが望ましい。
【００１６】
また、前述の飲料抽出器において、前記段差部と前記嵌合部との間にパッキングが装着されていることが望ましい。
【００１７】
また、前述の飲料抽出器において、前記台座部と前記胴部との外周部にフランジが形成され、前記ロック機構は、一端を支点として開閉可能なクランプであり、前記クランプは閉止された場合に前記台座部のフランジと前記胴部のフランジとを挟持することが望ましい。
【００１８】
また、前述の飲料抽出器において、前記下部容器の外周部にフランジが形成され、前記クランプは閉止された場合に前記下部容器のフランジに係合されることが望ましい。
【００１９】
また、前述の飲料抽出器において、前記台座部のフランジと前記胴部のフランジとの間にリング状のパッキングが装着されていることが望ましい。
【００２０】
また、前述の飲料抽出器において、前記台座部の内周部に、前記導水管の上端側と前記ポッド載置部との間に位置して放射状に配列された複数のリブが設けられていることが望ましい。
【００２１】
また、前述の飲料抽出器において、前記胴部の下端部に、前記ポッド載置部に載置されている前記飲料ポッドの上面に当接される網部材が設けられていることが望ましい。
【発明の効果】
【００２２】
本発明に係る飲料抽出器によれば、台座部のポッド載置部に飲料ポッドを載置し、台座部に胴部を嵌合させるとともに胴部によって飲料ポッドの外周部を押圧した後、ロック機構によって台座部と胴部とをロックすることにより、飲料ポッドから飲料を抽出するために下部容器内のお湯が導水管を通して上昇することにより飲料ポッドに押し上げる向きに力が作用した場合でも、胴部は押し上げられることなく胴部と台座部との嵌合状態が維持されるので、胴部と台座部との嵌合部分からのお湯の漏れ出しを防止することができ、飲料ポッドからの飲料の抽出を確実に行うことができる。
【００２３】
また、ロック機構は、胴部の外周部に固定された一対の突起と、台座部に設けられた一対のロックレバーとを有し、ロックレバーがロック位置とロック解除位置とに回動可能であるので、ロック機構によるロックとロック解除の操作を容易に行うことができる。
【００２４】
また、ロックレバーは、ロック位置に位置する場合に突起の下端側に係合する下端側係合部と突起の上端側に係合する上端側係合部とを有し、ロックレバーがロック解除位置に位置する場合に胴部を台座部に嵌合させると下端側係合部が突起の下端側により押圧されてロックレバーがロック位置に回動するので、胴部を台座部に嵌合させることによりロック機構によるロックを自動的に行うことができる。また、ロックレバーをロック位置からロック解除位置に回動させる場合には、ロックレバーの下端側係合部が突起の下端側を押し上げて胴部を台座部との嵌合を解除する方向に移動させるので、ロックレバーをロック解除位置に回動操作することにより胴部と台座部との嵌合状態の解除を助長することができ、胴部と台座部との嵌合状態の解除を容易に行うことができる。
【００２５】
また、胴部の下端側外周部の全周に段差部が形成され、台座部の上端側の全周に段差部に嵌合する嵌合部が形成されているので、胴部と台座部との嵌合部分からのお湯の漏れ出しを一層防止することかできる。
【００２６】
また、段差部と嵌合部との間にパッキングが装着されていることにより、胴部と台座部との嵌合部分からのお湯の漏れ出しをより一層防止することかできる。
【００２７】
また、台座部と胴部との外周部にフランジが形成され、ロック機構は、一端を支点として開閉可能なクランプであり、クランプは閉止された場合に台座部のフランジと胴部のフランジとを挟持するので、クランプによる台座部と胴部とのロックとロック解除との操作を容易に行うことができる。
【００２８】
また、下部容器の外周部にフランジが形成され、クランプは閉止された場合に下部容器のフランジに係合されるので、下部容器と上部容器の連結を確実に行うことができる。
【００２９】
また、台座部のフランジと胴部のフランジとの間にリング状のパッキングが装着されているので、台座部と胴部との間からのお湯の漏れ出しを防止することができる。
【００３０】
また、台座部の内周部における導水管の上端側とポッド載置部との間に位置して放射状に複数のリブが設けられているので、このリブの存在により導水管の上部側からポッド載置部に載置されている飲料ポッドとの間の空間の容積を小さくすることができ、導水管を上昇したお湯を迅速に飲料ポッドに到達させることができ、飲料の抽出時間を短縮することができる。さらに、お湯を隣り合うリブの間を通して飲料ポッドの外周側まで確実に導くことができ、飲料ポッドの全体から飲料の抽出を行うことができる。さらに、抽出された飲料が下部容器側へ流れ落ちる場合、飲料ポッドに接触したリブを伝わることによりスムーズに流れ落ちるようになり、飲料の抽出が促進される。
【００３１】
また、胴部の下端側に、ポッド載置部に載置されている飲料ポッドの上面に当接される網部材が設けられているので、導水管を上昇したお湯が飲料ポッドを押し上げても飲料ポッドが破れることを防止することができる。
【図面の簡単な説明】
【００３２】
【図１】第１の実施形態のコーヒー抽出器を示す断面正面図である。
【図２】コーヒー抽出器を分解して示す断面正面図である。
【図３】台座部を示す平面図である。
【図４】胴部を示す平面図である。
【図５】胴部を台座部に嵌合させる場合の第一段階の過程を示す正面図である。
【図６】胴部を台座部に嵌合させる場合の第二段階の過程を示す正面図である。
【図７】胴部を台座部に嵌合させる場合の第三段階の過程を示す正面図である。
【図８】胴部を台座部に嵌合させる場合の第四段階の過程を示す正面図である。
【図９】第２の実施形態のコーヒー抽出器を示す断面正面図である。
【図１０】コーヒー抽出器を分解して示す断面正面図である。
【図１１】クランプを示す斜視図である。
【発明を実施するための形態】
【００３３】
（第１の実施形態）
本発明の第１の実施形態を図１ないし図８に基づいて説明する。図１は、サイフォン式の飲料抽出器であるコーヒー抽出器１を示す断面正面図、図２はコーヒー抽出器１を分解して示す断面正面図である。コーヒー抽出器１は、図１及び図２に示すように、下部容器２とこの下部容器２の上部に着脱可能に連結される上部容器３とを有している。
【００３４】
下部容器２は、耐熱ガラス等の耐熱材によりボトル状に形成され、上部に首部４が設けられ、首部４の上端に開口５が形成され、首部４の外周部にネジ６が形成されている。首部４には、ネジ６より下側の部分にスタンド７が取付けられ、下部容器２はこのスタンド７により保持されている。
【００３５】
上部容器３は、ポリカーボネート等の耐熱材により形成された台座部８と胴部９とからなり、これらの台座部８と胴部９とが着脱可能に嵌合され、この嵌合は、胴部９の下部を台座部８の上部内側に嵌め込むことにより行われている。上部容器３には、台座部８と胴部９とを嵌合状態でロックするロック機構１０が設けられている。ロック機構１０は、台座部８に設けられた一対のロックレバー１１と、胴部９に設けられた一対の突起１２とにより構成されている。
【００３６】
台座部８は、皿状に形成された部材であり、台座部８の底部側の中央部に下向きに延出した導水管１３が設けられている。この導水管１３は、上部容器３と下部容器２とを連結した場合に下部容器２の開口５から下部容器２内に挿入され、挿入された導水管１３の先端部は下部容器２の底部に到達する寸法に設けられている。さらに、台座部８の底部側には、導水管１３の上部側を囲む筒部１４が設けられ、筒部１４の内周部にはネジ１５が形成されている。このネジ１５は、上部容器３と下部容器２とを連結した場合に下部容器２のネジ６に螺合され、上部容器３と下部容器２との連結部分を密封するように設けられている。
【００３７】
台座部８の内周部の上部側には、飲料ポッドであるコーヒーポッド１６を載置可能なポッド載置部１７が設けられている。さらに、台座部８の内周部には、導水管１３の上端側とポッド載置部１７との間に放射状に配列された複数のリブ１８、１９が設けられている。これらのリブ１８、１９は、その上面がポッド載置部１７に載置されているコーヒーポッド１６の下面に当接するように設けられている。
【００３８】
台座部８の上部側の外周部の全周には、リング状のフランジ２０と嵌合部２１とが設けられている。嵌合部２１は、台座部８と胴部９とを嵌合させた場合に胴部９に設けられている後述する段差部に嵌合するように設けられている。
【００３９】
フランジ２０の上面部には、フランジ２０の周方向に沿って１８０°離間して位置する一対の保持部２２が設けられ、各保持部２２にはロック機構１０を構成するロックレバー１１が支軸２３により回動可能に保持されている。ロックレバー１１は、上端側係合部２４と、下端側係合部２５と、回動操作部２６とを有し、支軸２３を中心として図１に示すロック位置と図２に示すロック解除位置とに回動可能に設けられている。
【００４０】
胴部９は、上部側が大径で下部側が小径である筒状に形成された部材であり、胴部９が台座部８に嵌合された場合に胴部９の小径側である下端側がポッド載置部１７に載置されているコーヒーポッド１６の外周部を押圧するように設けられている。
【００４１】
胴部９の下端側外周部には、上述したロック機構１０を構成する一対の突起１２が設けられている。一対の突起１２は、胴部９の周方向に沿って１８０°離間して位置するように配置されている。各突起１２には、ロックレバー１１がロック位置に位置する場合に、上端側係合部２４が係合する上端部２７と、下端側係合部２５が係合する下端部２８とが設けられている。
【００４２】
また、胴部９の外周部の全周には、突起１２が設けられている位置よりも下側に位置して凹状の段差部２９が設けられている。この段差部２９は、胴部９を台座部８に嵌合させた場合に台座部８の嵌合部２１に嵌合するように設けられ、段差部２９と嵌合部２１との間にはリング状のパッキング３０が装着されている。
【００４３】
さらに、胴部９の下端部には、胴部９を台座部８に嵌合させた場合にポッド載置部１７に載置されているコーヒーポッド１６の上面に当接される網部材３１が設けられている。網部材３１については、この実施形態では胴部９と一体に設けられている場合を示しているが、胴部９と別体の網部材を設け、その網部材を胴部９の下端部に着脱可能に取り付けるようにしてもよい。
【００４４】
図３は、台座部８を示す平面図である。台座部８は、中央部に導水管１３が設けられ、外周部にフランジ２０が設けられ、このフランジ２０に一対の保持部２２が設けられ、保持部２２にはロックレバー１１が回動可能に保持されている。フランジ２０の内周側に位置して嵌合部２１が設けられ、嵌合部２１の内側に位置してポッド載置部１７が設けられている。台座部８の内周部における導水管１３の上端側とポッド載置部１７との間には、放射状に長尺のリブ１８と短尺のリブ１９とが設けられている。
【００４５】
図４は、胴部９を示す平面図である。胴部９の外周部には一対の突起１２が設けられている。胴部９の下端部には、網部材３１が設けられている。
【００４６】
図５乃至図８は、胴部９を台座部８に嵌合させる場合の過程を四段階に分けて示したものである。なお、胴部９を台座部８に嵌合させる場合には、ロックレバー１１をロック解除位置に回動させた状態で開始する。
【００４７】
図５は、胴部９を台座部８に嵌合させる場合の第一段階の過程を示す側面図である。ロックレバー１１をロック解除位置に回動させた後、胴部９を台座部８側に移動させることにより、突起１２の下端部２８がロックレバー１１の下端側係合部２５に当接される。
【００４８】
図６は、胴部９を台座部８に嵌合させる場合の第二段階の過程を示す側面図である。突起１２の下端部２８がロックレバー１１の下端側係合部２５に当接した後、胴部９をさらに台座部８側に移動させると、その移動に伴い下端側係合部２５が突起１２の下端部２８により押圧され、ロックレバー１１が支軸２３の周りに矢印Ａ方向に回動する。この回動により、ロックレバー１１の上端側係合部２４が突起１２の上端部２７に近付く。
【００４９】
図７は、胴部９を台座部８に嵌合させる場合の第三段階の過程を示す側面図である。ロックレバー１１が支軸２３の周りに矢印Ａ方向にさらに回動すると、ロックレバー１１の上端側係合部２４が突起１２の上端部２７に当接される。
【００５０】
図８は、胴部９を台座部８に嵌合させる場合の第四段階の過程を示す側面図である。この第四段階では、胴部９が台座部８に嵌合する最終位置まで移動しており、矢印Ａ方向に回動したロックレバー１１の上端側係合部２４が上端部２７の上面に形成されている突部２７ａを乗り越え、ロックレバー１１の上端側係合部２４が上端部２７に係合される。そして、ロックレバー１１の上端側係合部２４が上端部２７に係合されるとともにロックレバー１１の下端側係合部２５が下端部２８に係合されることにより、ロックレバー１１がロック位置で固定されるとともに、胴部９と台座部８とが嵌合状態でロック機構１０によりロックされる。
【００５１】
図８に示すようにロックレバー１１がロック位置に位置し、胴部９と台座部８とが嵌合状態でロックされている状態からから胴部９と台座部８との嵌合状態を解除する場合には、回動操作部２６を矢印Ｂ方向に回動操作する。図８に示す状態からロックレバー１１が矢印Ｂ方向に回動されると、ロックレバー１１の下端側係合部２５が突起１２の下端部２８を押し上げ、胴部９が台座部８との嵌合を解除する方向に移動する。
【００５２】
このような構成において、サイフォン方式のコーヒー抽出器１とコーヒーポッド１６とを用いてコーヒーを抽出する場合について説明する。
【００５３】
ポッド載置部１７にコーヒーポッド１６を載置した後、図５乃至図８に示す過程を経て胴部９を台座部８に嵌合させる。胴部９を台座部８に嵌合させる操作に伴い、その嵌合操作に伴ってロックレバー１１がロック解除位置からロック位置に自動的に回動し、胴部９と台座部８とが嵌合されるとともに胴部９と台座部８とはその嵌合状態でロックされる。胴部９と台座部８とが嵌合された場合、ポッド載置部１７に載置されているコーヒーポッド１６の外周部が胴部９の下端部により押圧される。
【００５４】
そして、下部容器２内に水を入れ、図１に示すように、導水管１３を開口５から下部容器２内に挿入するとともに下部容器２の上部に上部容器３を連結する。
【００５５】
図１に示すように下部容器２の上部に上部容器３を連結した後、アルコールランプや電気ヒータ等の加熱機器により下部容器２内の水を加熱し、沸騰させる。下部容器２内の水が沸騰してお湯になると、下部容器２内の水蒸気圧が上昇し、沸騰したお湯が導水管１３を通して押し上げられる。導水管１３を通して押し上げられたお湯は、導水管１３の上端側から台座部８内に流入し、コーヒーポッド１６を通過して胴部９内に流入する。そして、お湯がコーヒーポッド１６を通過する過程でコーヒー粉からコーヒーが抽出される。
【００５６】
下部容器２内からのお湯の上昇が終了した後に加熱機器による加熱を終了させると、下部容器２内の水蒸気が冷却されて収縮することにより下部容器２内の水蒸気圧が下がり、上部容器３内のコーヒーが導水管１３を通して下部容器２内に吸引され、コーヒーを抽出する作業が終了する。
【００５７】
コーヒーを抽出する作業が終了した後は、下部容器２に対する上部容器３の連結を解除し、下部容器２内のコーヒーをコーヒーカップ等に注いで飲料する。
【００５８】
ここで、台座部８と胴部９とを嵌合させて胴部９の下端部によりコーヒーポッド１６の外周部が押圧された場合、嵌合された台座部８と胴部９とはロック機構１０によりロックされている。このため、コーヒーポッド１６からコーヒーを抽出するために下部容器２内のお湯が導水管１３を通して上昇し、コーヒーポッド１６に対して押し上げる向きの力が作用した場合でも、胴部９は押し上げられることなく胴部９と台座部８との嵌合状態が維持される。これにより、胴部９と台座部８との嵌合部分からのお湯の漏れ出しを防止することができ、コーヒーポッド１６からのコーヒーの抽出を確実に行うことができる。
【００５９】
また、胴部９の下端側外周部に形成された段差部２９と台座部８の上端側に形成された嵌合部２１とが嵌合されているので、胴部９と台座部８との嵌合部分からのお湯の漏れ出しをより一層防止することかできる。
【００６０】
さらに、段差部２９と嵌合部２１との間にパッキング３０が装着されており、台座部８と胴部９とがロック機構１０によりロックされた場合にパッキング３０は段差部２９と嵌合部２１との間で押し潰されるように弾性変形するため、胴部９と台座部８との嵌合部分からのお湯の漏れ出しをより一層防止することかできる。
【００６１】
ロック機構１０による台座部８と胴部９との嵌合状態でのロックは、ロックレバー１１をロック解除位置に回動させた状態から胴部９を台座部８に嵌合させることにより、図５ないし図８に示すように自動的に行われる。このため、台座部８と胴部９とを嵌合させた後にロックする操作を忘れるということがなく、ロック機構１０によるロックを確実に行うことができる。
【００６２】
また、ロック機構１０によるロックを解除して台座部８と胴部９との嵌合状態を解除する場合には、回動操作部２６に指をかけてロックレバー１１を図８に示すロック位置から矢印Ｂ方向に回動させる。この回動操作により、ロックレバー１１の下端側係合部２５が突起１２の下端部２８を押し上げて胴部９を台座部８との嵌合を解除する向きに移動させるので、ロックレバー１１をロック解除位置に回動操作することにより胴部９と台座部８との嵌合状態の解除を助長することができ、胴部９と台座部８との嵌合状態の解除を容易に行うことができる。
【００６３】
台座部８の内周部における導水管１３の上端側とポッド載置部１７との間に放射状に複数のリブ１８、１９が設けられているため、台座部８における導水管１３の上方とポッド載置部１７に載置されているコーヒーポッド１６との間の空間の容積を小さくすることができ、導水管１３を上昇したお湯がコーヒーポッド１６に到達するまでの時間を短縮することができ、コーヒーの抽出時間を短縮することができる。また、コーヒーポッド１６を通過せずにコーヒーポッド１６の下側に滞留するお湯の量を減らすことができ、コーヒーの抽出を良好に行うことができる。さらに、導水管１３を上昇して台座部８内に流入したお湯は隣り合うリブ１８、１９の間を通ってコーヒーポッド１６の外周側まで確実に導かれるので、コーヒーポッド１６の全体に亘ってお湯を均一に通過させることができ、コーヒーの抽出を良好に行うことができる。
【００６４】
胴部９の下端側には網部材３１が設けられ、この網部材３１は、胴部９と台座部８に嵌合させた場合にポッド載置部１７に載置されているコーヒーポッド１６の上面に当接される。このため、導水管１３を通って上昇したお湯がコーヒーポッド１６を押し上げても、コーヒーポッド１６の上面は網部材３１により抑えられているので、コーヒーポッド１６が破れるということを防止することができる。
【００６５】
なお、本実施形態では、一対のロックレバー１１の回動操作部２６を同じ長さ寸法にした場合を例に挙げて説明したが、一方のロックレバー１１においては回動操作部２６の長さ寸法を短くし、ロック機構１０によるロックを解除する場合には、回動操作部２６の長さ寸法が長い方のロックレバー１１のみを操作して行うようにしてもよい。
【００６６】
また、本実施形態では、飲料抽出器の一例としてコーヒーを抽出するコーヒー抽出器１を例に挙げて説明したが、本発明の飲料抽出器には、紅茶を抽出する紅茶抽出器や緑茶を抽出する緑茶抽出器が含まれる。さらに、その飲料抽出器で使用する飲料ポッドとしては、コーヒーポッド１６に限らず、飲料材料である紅茶葉や緑茶葉を不織布等に封入した紅茶ポッドや緑茶ポッドが含まれる。
【００６７】
（第２の実施形態）
本発明の第２の実施形態を図９ないし図１１に基づいて説明する。なお、第１の実施形態で説明した構成要素と同じ構成要素には同じ符号を付け、重複する説明は省略する。第２の実施形態のサイフォン式の飲料抽出器であるコーヒー抽出器１Ａの基本的構成は第１の実施形態のコーヒー抽出器１と同じであり、異なる点は、ロック機構としてクランプ４１を用いている点である。
【００６８】
図９は、コーヒー抽出器１Ａを示す断面正面図であり、図１０はクランプ４１を除いた状態のコーヒー抽出器１Ａを分解して示す断面正面図である。コーヒー抽出器１Ａは、耐熱ガラス等の耐熱材により形成された下部容器２と、この下部容器２の上部に着脱自在に連結されるポリカーボネート等の耐熱材により形成された上部容器３とを有している。
【００６９】
下部容器２の上部に設けられた首部４の上部外周部には、円盤状のフランジ４２が形成されている。
【００７０】
上部容器３は、ポリカーボネート等の耐熱材により形成された台座部８と胴部９とからなり、これらの台座部８と胴部９とが着脱可能に嵌合されている。台座部８と胴部９との嵌合は、胴部９の下部を台座部８の上部内側に嵌め込むことにより行われている。胴部９が台座部８に嵌合された場合、胴部９の下端側がポッド載置部１７に載置されているコーヒーポッド１６の外周部を押圧するようになっている。
【００７１】
台座部８の底部側の中央部には下向きに延出した導水管１３が設けられており、台座部８の底部下面側にはこの導水管１３を囲んでシリコン製のパッキング４３が着脱可能に取付けられている。このパッキング４３は、導水管１３を下部容器２内に挿入して上部容器３と下部容器２とを連結した場合、首部４の内周面に密着して上部容器３と下部容器２との連結部分を密封するようになっている。
【００７２】
台座部８の上部側の外周部には円盤状のフランジ４４が形成され、胴部９の下部側の外周部には円盤状のフランジ４５が形成されている。これらのフランジ４４、４５は、台座部８と胴部９とを嵌合させた場合に、フランジ４４の上面とフランジ４５の下面とが当接するように形成されている。フランジ４５の下面には断面形状が半円であるリング状の溝４６が形成され、この溝４６には断面形状が円形であるリング状のパッキング４７が装着されている。溝４６に装着されたパッキング４７は、クランプ４１を取り付けて後述するようにフランジ４４、４５を挟持した場合、押し潰されて弾性変形する。
【００７３】
ロック機構であるクランプ４１は、半円弧状の２つの弧状部材４１ａ、４１ｂが一端を支点として開閉可能に設けられており、挟持部４８と係合部４９とが形成されている。クランプ４１が閉止位置に回動した場合に、挟持部４８がフランジ４４とフランジ４５とを狭持するとともに、係合部４９がフランジ４２に係合するようになっている。挟持部４８には外周側に向かうにつれて幅が狭くなるテーパが付けられており、クランプ４１が開放位置から閉止位置に回動する場合にフランジ４４、４５に対する挟持力が次第に上昇するようになっている。
【００７４】
図１１は、クランプ４１を示す斜視図である。クランプ４１は、ポリプロピレン又はポリカーボネート等の耐熱部材により形成され、弧状部材４１ａ、４１ｂの一端が支軸５０により回動可能に連結され、弧状部材４１ａ、４１ｂの他端側である可動端側には係脱可能に係合する係合部５１が形成されている。この係合部５１は、双方の弧状部材４１ａ、４１ｂの可動端側に形成された棒状の凸部と凸部が挿入して係合される凹部とからなり、クランプ４１が閉止位置に回動した場合に、一方の弧状部材４１ａの凸部が他方の弧状部材４１ｂの凹部に弾性的に係合するとともに、他方の弧状部材４１ｂの凸部が一方の弧状部材４１ｂの凹部に弾性的に係合するようになっている。
【００７５】
このような構成において、このサイフォン式のコーヒー抽出器１Ａとコーヒーポッド１６とを用いてコーヒーを抽出する場合について説明する。
【００７６】
ポッド載置部１７にコーヒーポッド１６を載置した後、台座部８と胴部９とを嵌合させて上部容器３を構成し、導水管１３を下部容器２内に挿入する。ついで、弧状部材４１ａ、４１ｂを開放させたクランプ４１を上部容器３と下部容器２との外周側に位置させ、弧状部材４１ａ、４１ｂを閉止する方向に回動させる。そして、弧状部材４１ａ、４１ｂの可動端側の係合部５１を弾性的に係合させることによりクランプ４１の取付けが終了すると、フランジ４４とフランジ４５とが挟持部４８により狭持されるとともに、係合部４９がフランジ４２に係合される。
【００７７】
クランプ４１の取付けが終了した後、下部容器２内に予め入れてある水をアルコールランプや電気ヒータ等の加熱機器により加熱し、沸騰させる。下部容器２内の水が沸騰してお湯になると、下部容器２内の水蒸気圧が上昇し、沸騰したお湯が導水管１３を通して押し上げられる。導水管１３を通して押し上げられたお湯は、導水管１３の上端側から台座部８内に流入し、コーヒーポッド１６を通過して胴部９内に流入する。そして、お湯がコーヒーポッド１６を通過する過程でコーヒー粉からコーヒーが抽出される。
【００７８】
下部容器２内からのお湯の上昇が終了した後に加熱機器による加熱を終了させると、下部容器２内の水蒸気が冷却されて収縮することにより下部容器２内の水蒸気圧が下がり、上部容器３内のコーヒーが導水管１３を通して下部容器２内に吸引され、コーヒーを抽出する作業が終了する。
【００７９】
ここで、嵌合された台座部８と胴部９とは、クランプ４１の挟持部４８によりフランジ４４、４５を狭持されてロックされている。このため、コーヒーポッド１６からコーヒーを抽出するために下部容器２内のお湯が導水管１３を通して上昇し、コーヒーポッド１６に対して押し上げる向きの力が作用した場合でも、胴部９は押し上げられることなく胴部９と台座部８との嵌合状態が維持される。これにより、胴部９と台座部８との嵌合部分からのお湯の漏れ出しを防止することができ、コーヒーポッド１６からのコーヒーの抽出を確実に行うことができる。
【００８０】
しかも、フランジ４４、４５の間にはリング状のパッキング４７が装着されているため、胴部９と台座部８との嵌合部分からのお湯の漏れ出しをより一層防止することができる。なお、このパッキング４７は押し潰されたように弾性変形して装着されているため、コーヒーの抽出が終了したクランプ４１を外した場合、パッキング４７は元の円形の断面形状となるように弾性変形し、胴部９と台座部８の間に嵌合を外す向きの力が作用することになり、胴部９と台座部８との嵌合を外す作業を容易に行える。
【００８１】
さらに、クランプ４１の係合部４９が下部容器２のフランジ４２に係合しているので、下部容器２と上部容器３との連結を確実に行うことができ、この連結部分からの圧力やお湯の漏れ出しを防止することができる。
【００８２】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、様々の省略、置き換え、変更を行うことができる。これらの実施形態やその変更は、発明の範囲や要旨に含まれるとともに、特許請求の範囲に記載された発明とその均等の範囲に含まれる。
【符号の説明】
【００８３】
１      コーヒー抽出器（飲料抽出器）
１Ａ    コーヒー抽出器（飲料抽出器）
２      下部容器
３      上部容器
４      首部
５      開口
６      ネジ
７      スタンド
８      台座部
９      胴部
１０      ロック機構
１１      ロックレバー
１２      突起
１３      導水管
１４      筒部
１５      ネジ
１６      コーヒーポッド（飲料ポッド）
１７      ポッド載置部
１８      リブ
１９      リブ
２０      フランジ
２１      嵌合部
２２      保持部
２３      支軸
２４      上端側係合部
２５      下端側係合部
２６      回動操作部
２７      上端部
２７ａ    突部
２８      下端部
２９      段差部
３０      パッキング
３１      網部材
４１      クランプ（ロック機構）
４１ａ、４１ｂ  弧状部材
４２      フランジ
４３      パッキング
４４      フランジ
４５      フランジ
４６      溝
４７      パッキング
４８      挟持部
４９      係合部
５０      支軸
５１      係合部
【図１】
2016047181.tif 000003
【図２】
2016047181.tif 000004
【図３】
2016047181.tif 000005
【図４】
2016047181.tif 000006
【図５】
2016047181.tif 000007
【図６】
2016047181.tif 000008
【図７】
2016047181.tif 000009
【図８】
2016047181.tif 000010
【図９】
2016047181.tif 000011
【図１０】
2016047181.tif 000012
【図１１】
2016047181.tif 000013